(57)【要約】【課題】本発明は、ケースの内部側から外部側へと引き出し案内された配線コードを良好に、かつ安定的に支持することのできる配線コードの保持構造を提供すること。【解決手段】本発明は、ケース２の内部側から外部側へと引き出し案内された配線コード５を保持する配線コードのクランプ構造において、前記ケース２に設けられ、前記配線コード５を引き出し案内するためのコード導出部４と、このコード導出部４箇所から連続して前記ケース２の壁面２Ａ位置より窪んだ状態にて配線コード５を引き回し配線可能とする樋状のコード引き回し案内部６と、このコード引き回し案内部６の開放部側の適所に設けられ、前記コード引き回し案内部６の内壁６Ａから一体に略水平方向に延びる配線コード５の浮き上がりを防ぐための浮き上がり抑止片７と、からなる配線コードのクランプ構造。【選択図】  図１
2005019924.tif 000002
【特許請求の範囲】
【請求項１】
ケースの内部側から外部側へと引き出し案内された配線コードを保持する配線コードのクランプ構造において、前記ケースに設けられ、前記配線コードを引き出し案内するためのコード導出部と、このコード導出部箇所から連続して前記ケースの壁面位置より窪んだ状態にて配線コードを引き回し配線可能とする樋状のコード引き回し案内部と、このコード引き回し案内部の開放部側の適所に設けられ、前記コード引き回し案内部の内壁から一体に略水平方向に延びる配線コードの浮き上がりを防ぐための浮き上がり抑止片と、からなる配線コードのクランプ構造。
【請求項２】
前記コード引き回し案内部の左右の両内壁からそれぞれ一体に略水平方向に対向して延びる対をなす前記浮き上がり抑止片を設けてなることを特徴とする請求項１に記載の配線コードのクランプ構造。
【請求項３】
前記ケースの外壁面とほぼ同一平面位置あるいはケースの壁面より窪んだ位置に前記浮き上がり抑止片を配設してなることを特徴とする請求項１または請求項２に記載の配線コードのクランプ構造。
【請求項４】
前記樋状のコード引き回し案内部の適所には、引き回し配線された配線コードを抜け止め保持するための位置決め突部を一体に形成してなることを特徴とする請求項１から請求項３のいずれか１項に記載の配線コードのクランプ構造。
【請求項５】
前記樋状のコード引き回し案内部の底壁には、複数の配線コードを仕分けして引き回し配線可能とするガイド部を設けたことを特徴とする請求項１から請求項４のいずれか１項に記載の配線コードのクランプ構造。
【請求項６】
前記コード導出部の適所には、前記配線コードと電気的に接続可能とするコネクタ部を少なくとも二つ以上配設してなることを特徴とする請求項１に記載の配線コードのクランプ構造。
【発明の詳細な説明】
【０００１】
【発明の属する技術分野】
本発明は、たとえば合成樹脂製のケースに収納した電気回路に接続される配線コードを、ケースの外部側へと引き回し案内するための配線コードの保持構造に関するものである。
【０００２】
【従来の技術】
一般的に、電気部品などを組み付けたプリント配線基板などは、外部からの接触や衝撃から保護するために合成樹脂製などのケース内に収納して保護するように構成し、プリント配線基板から引き回し配線される電気コードを介してケースの内部側から外部側へと引き出し案内するようにしている。
【０００３】
この場合、ケースの内部から外部側へと配線コードを引き出し案内する際、配線コードが絡んだり、浮き上がって引っ掛かったりしないように、ケースの内部に収容される電気部品からケースの外部に引き出された配線コードの引き回し方向を設定するための導出ガイドをケースと一体に側方に突き出し形成し、その導出ガイドに沿って配線コードを良好に引き出し案内可能に設けて構成したものが知られている（たとえば、特許文献１を参照。）。
【０００４】
【特許文献１】
実開昭６０−４２７８１号公報
【０００５】
また前述した従来例構造にあっては、ケースから一体に導出ガイドが突き出し形成されているため、配線コードを安定状態にして引き回し案内することができるというメリットがある反面、導出ガイドをケースから一体に側方に突き出し形成しているために嵩張りやすいという面がある。この点を考慮するものとして、ケースの壁面部分で個別のクランプ部材により固定して配線コードを良好に引き回し配設するように構成したり、あるいはケースの壁面部分に一体にクランプ片を形成して、そのクランプ片によって配線コードを支持するように引き回し案内するようにしている。
【０００６】
【発明が解決しようとする課題】
しかしながら、前述した従来の構成にあっては、個別のクランプ部材を設けることによって部品点数が増加しコスト上昇の要因となったり、またケースと一体にクランプ片を形成したとしても、このクランプ片や個別のクランプ部材はケースの底部に対して外側に突出して設けられることになり、たとえばこのケース底部を基準としてケースの開口部側からケース内部に各種電気部品を組み込んだプリント配線基板を組み付ける際、あるいはメンテナンス作業を行う際などにおいて、たとえばビス締め等の手段によって各種電気部品の脱着等の作業や上下のケースの組み付けを行うときに、このケース底部から突出するクランプ部材やクランプ片などが存在することにより、ケースの載置状態のバランスが悪いため、ケースが傾いたりして組付け作業がやりづらいといった問題を有している。
【０００７】
またケースの底部から一体にクランプ片を形成するようにした場合、外圧によって折損してしまったり、ケースの底部（壁面）に沿って配線コードが引き回し案内されているため、外部側から接触してしまうことがあり、場合によっては配線コードを傷めてしまうという虞もある。
【０００８】
そこで本発明は、従来の問題を解決することをねらいとし、ケースの内部側から外部側へと引き出し案内された配線コードを良好に、かつ安定的に支持することのできる配線コードの保持構造を提供することを目的とする。
【０００９】
【課題を解決するための手段】
この請求項１による発明では、ケースの内部側から外部側へと引き出し案内された配線コードを保持する配線コードのクランプ構造において、前記ケースに設けられ、前記配線コードを引き出し案内するためのコード導出部と、このコード導出部箇所から連続して前記ケースの壁面位置より窪んだ状態にて配線コードを引き回し配線可能とする樋状のコード引き回し案内部と、このコード引き回し案内部の開放部側の適所に設けられ、前記コード引き回し案内部の内壁から一体に略水平方向に延びる配線コードの浮き上がりを防ぐための浮き上がり抑止片と、からなる配線コードのクランプ構造である。
【００１０】
また請求項１において、請求項２による発明では、前記コード引き回し案内部の左右の両内壁からそれぞれ一体に略水平方向に対向して延びる対をなす前記浮き上がり抑止片を設けてなることを特徴とする配線コードのクランプ構造である。
【００１１】
また請求項１または請求項２において、請求項３によるでは、前記ケースの外壁面とほぼ同一平面位置あるいはケースの壁面より窪んだ位置に前記浮き上がり抑止片を配設してなることを特徴とする配線コードのクランプ構造である。
【００１２】
また請求項１から請求項３のいずれか１項において、請求項４による発明では、前記樋状のコード引き回し案内部の適所には、引き回し配線された配線コードを抜け止め保持するための位置決め突部を一体に形成してなることを特徴とする配線コードのクランプ構造である。
【００１３】
また請求項１から請求項４のいずれか１項において、請求項５による発明では、前記樋状のコード引き回し案内部の底壁には、複数の配線コードを仕分けして引き回し配線可能とするガイド部を設けたことを特徴とする配線コードのクランプ構造である。
【００１４】
また請求項１において、請求項６による発明では、前記コード導出部の適所には、前記配線コードと電気的に接続可能とするコネクタ部を少なくとも二つ以上配設してなることを特徴とする配線コードのクランプ構造である。
【００１５】
【発明の実施の形態】
本発明の請求項１では、ケースの内部側から外部側へと引き出し案内された配線コードを保持する配線コードのクランプ構造において、前記ケースに設けられ、前記配線コードを引き出し案内するためのコード導出部と、このコード導出部箇所から連続して前記ケースの壁面位置より窪んだ状態にて配線コードを引き回し配線可能とする樋状のコード引き回し案内部と、このコード引き回し案内部の開放部側の適所に設けられ、前記コード引き回し案内部の内壁から一体に略水平方向に延びる配線コードの浮き上がりを防ぐための浮き上がり抑止片と、からなる配線コードのクランプ構造であるため、樋状のコード引き回し案内部に沿って配線コードを引き回し配設することができ、ケースの壁面位置より上方に浮き上がることなく安定状態にして配線コードを保持することができる。
【００１６】
本発明の請求項２では、請求項１において、前記コード引き回し案内部の左右の両内壁からそれぞれ一体に略水平方向に対向して延びる対をなす前記浮き上がり抑止片を設けてなることを特徴とする配線コードのクランプ構造であるため、複数の配線コードを前記コード引き回し案内部に引き回し配設することができるとともに、コード引き回し案内部の左右の両内壁からそれぞれ一体に略水平方向に対向して延びる対をなす浮き上がり抑止片によって各配線コードを浮き上がることなく安定状態に保持することができる。
【００１７】
また請求項３では、請求項１または請求項２において、前記ケースの外壁面とほぼ同一平面位置あるいはケースの壁面より窪んだ位置に前記浮き上がり抑止片を配設してなることを特徴とする配線コードのクランプ構造であるため、ケースの外壁面より奥まった位置にて配線コードが引き回し案内されるため、外部側から接触してしまうという虞もなく、良好に配線コードを引き回し配設することができる。
【００１８】
また請求項４では、請求項１から請求項３のいずれか１項において、前記樋状のコード引き回し案内部の適所には、引き回し配線された配線コードを抜け止め保持するための位置決め突部を一体に形成してなることを特徴とする配線コードのクランプ構造であるため、配線コードが位置決め突部によって押圧しながら保持され、これによりコード引き回し案内部に引き回し配設された配線コードを良好に保持することができる。
【００１９】
また請求項５では、請求項１から請求項４のいずれか１項において、前記樋状のコード引き回し案内部の底壁には、複数の配線コードを仕分けして引き回し配線可能とするガイド部を設けたことを特徴とする配線コードのクランプ構造であるため、コード引き回し案内部に沿って引き回し案内された複数からなる配線コードをガイド部によって仕分けしながら引き回し配線することができ、たとえばメンテナンス作業を行う際などにおいて、ガイド部によって仕分けされた配線コードを簡便に交換することができる。
【００２０】
また請求項６では、請求項１において、前記コード導出部の適所には、前記配線コードと電気的に接続可能とするコネクタ部を少なくとも二つ以上配設してなることを特徴とする配線コードのクランプ構造であるため、電気部品の脱着作業や配線コードの交換といったメンテナンス作業時などにおいて、配線コードのみの部品交換や組み付け・取り外しの作業を行う際に、コネクタ部を介して容易に取り外したり、組み付けたりすることができるものであり、また回路パターンに合わせて必要箇所のコネクタ部と電気的な接続を行うことも可能となるものである。
【００２１】
【実施例】
以下、本発明の実施例を添付図面を基づいて説明する。図１から図３は本発明の第１実施例を示すものである。
【００２２】
車両用として組み付けられる補助計器、たとえば圧力計、回転計、温度計や表示器などの補助計器を駆動するための回路部品を組み付けたプリント配線基板１が絶縁性の合成樹脂からなる上下に二分割に形成されたケース２に収納して設けられている。これら回路部品を組み付けたプリント配線基板１は上下のケース２の間に挟まれながら図示しないビス等の固定手段によってケース２の内部に収納固定されるようになっている。この実施例においては、プリント配線基板１に設けられた各コネクタ３を介してケース２に設けられたコード導出部４から配線コード５が引き出され、ケース２の外部へと配線コード５が導出され、補助計器や車両の電源側へと配線コード５を介して接続することができるように構成されている。
【００２３】
この場合、ケース２の外壁面２Ａには、コード導出部４箇所から連続して樋状の窪みからなるコード引き回し案内部６が設けられ、このコード引き回し案内部６に沿って配線コード５が引き回し案内される。
【００２４】
またコード引き回し案内部６の開放部側の適所には、コード引き回し案内部６の左右の両内壁６Ａからそれぞれ一体に略水平方向に対向して延びる対をなす浮き上がり抑止片７が設けられるとともに、その浮き上がり抑止片７の内面側に引き回し配線される配線コード５を抜け止め保持するための位置決め突部８が設けられている。この第１実施例における位置決め突部８は、浮き上がり抑止片７の長手方向に沿って形成されている。
【００２５】
なお、樋状に窪んだコード引き回し案内部６の底壁部６Ｂの適所には、複数の配線コード５を仕分けして引き回し配線可能とするガイド部９が突き出し形成されている。こうすることによって、コード引き回し案内部６に沿って引き回し案内された複数からなる配線コード５をガイド部９によって仕分けしながら引き回し配線することができ、たとえばメンテナンス作業を行う際などにおいて、ガイド部９によって仕分けされた配線コード５を簡便に交換することが可能となる。
【００２６】
従って、本実施例では、ケース２の内部から外部側へと導出される配線コード５は、樋状に窪んだコード引き回し案内部６の底壁部６Ｂと浮き上がり抑止片７との間に配線コード５が挿入され、所定の位置に引き回し案内されて保持される。この際、浮き上がり抑止片７の内面側に設けられた位置決め突部８によって配線コード５が部分的に圧入される状態となるため、良好に配線コード５が抜け止め保持される。
【００２７】
また第１実施例では、ケース２の外壁面２Ａとほぼ同一平面位置状態にして浮き上がり抑止片７を配設してなることにより、ケース２の外壁面２Ａより奥まった位置にて配線コード５が引き回し案内することが可能となり、外部側に設けた外付け部品と接触してしまうという虞もなく、良好に配線コード５を引き回し配設することが可能となり、しかも浮き上がり抑止片７がケース２の外壁面２Ａより外側に突出することがないため、浮き上がり抑止片７の折損などを未然に防ぐことのできる配線コードのクランプ構造を提供することができる。
【００２８】
また図４および図５は、本発明の第２実施例を示すものであって、この第２実施例にあっては、ケース２の外壁面２Ａとほぼ同一平面の位置関係にして浮き上がり抑止片７を配設するとともに、その浮き上がり抑止片７の先端側の内面部分に配線コード５を抜け止め保持するための位置決め突部８が設けられている。
【００２９】
従って、この第２実施例においても前述した第１実施例とほぼ同様にして、配線コード５をコード引き回し案内部６の底壁部６Ｂと浮き上がり抑止片７との間に挿入することによって浮き上がり抑止片７の先端部に設けた位置決め突部８により配線コード５が抜け止め保持される。
【００３０】
また図６は、本発明の第３実施例を示すもので、コード引き回し案内部６の開放部側の適所には、コード引き回し案内部６の左右の両内壁６Ａからそれぞれ一体に略水平方向に対向して延びる対をなす浮き上がり抑止片７が設けられるとともに、対をなす浮き上がり抑止片７の先端側の下方に位置したコード引き回し案内部６の底面側（底壁部６Ｂ）に引き回し配線される配線コード５を抜け止め保持するための位置決め突部８が突き出し形成されている。
【００３１】
従って、配線コード５をコード引き回し案内部６の底壁部６Ｂと浮き上がり抑止片７との間に挿入すると、コード引き回し案内部６の底壁部６Ｂから隆起して設けられた位置決め突部８と浮き上がり抑止片７とによって配線コード５が抜け止め保持されるものであり、また配線コード５自体はケース２の外壁面２Ａ位置から外側に浮き上がることなく良好に引き回し配線される。
【００３２】
また図７は、本発明の第４実施例を示すもので、ここではコード引き回し案内部６の開放部側の適所に、コード引き回し案内部６の一方の内壁６Ａから一体に略水平方向に延びる浮き上がり抑止片７が設けられるとともに、その先端部に下側に向かって位置決め突部８が突設されている。
なお第４実施例における浮き上がり抑止片７は、ケース２の外壁面２Ａより窪んだ位置であるコード引き回し案内部６の一方の内壁６Ａから一体に設けられている。
【００３３】
こうすることによって浮き上がり抑止片７とコード引き回し案内部６の底壁部６Ｂとの間に複数の配線コード５が挿入可能となるとともに、挿入された配線コード５は位置決め突部８により抜け止め保持される。
また浮き上がり抑止片７をケース２の外壁面２Ａより窪んだ位置に設けることにより、ケース２の外壁面２Ａより奥まった位置にて配線コード５をコード引き回し案内部６に沿って案内することができ、外付け部品などと引っかかることもなく安定的に保持することができる。
【００３４】
なお、本発明は上述した実施例に限定されるものでなく本発明の要旨の範囲において種々の変形実施が可能である。たとえば、前述した各実施例において、ケース２の大きさや形状、配線コード５の太さなどによって樋状からなるコード引き回し案内部６の長さや形状、あるいは引き回し配線経路の形態や配設する位置など適宜変更可能であり、また配線コード５として、実施例にあっては細いリード線を複数束ねた状態で１本の配線コード５を形成し、その配線コード５を２本あるいは３本引き回し形成したものを例として説明したが、１本の太い導線からなる配線コードを引き回し案内部６に沿ってそれぞれ引き回し配設するようにしたものであっても同様に行うことが可能である。
【００３５】
またケース２に配線コード５を引き出し案内するためのコード導出部４を設けるともに、このコード導出部４箇所にコネクタ部（コネクタ３）を設けて配線コード５を引き出し案内可能に設けていたが、ケース２内のプリント配線基板１からダイレクトに配線コード５を接続し、コード導出部４の適所から配線コード５を引き出し案内するようにしてもよいものである。
【００３６】
また樋状に窪んだコード引き回し案内部６の底壁部６Ｂの適所に設けられるガイド部９の長さ寸法や幅寸法あるいは高さ寸法または配設する位置などは配線コード５の外形寸法や本数などの条件に応じて適宜に設定すればよいものであり、この場合、実施例にあっては壁形状からなるガイド部９によって形成していたが、たとえばピン形状のガイド部であってもほぼ同様な効果が得られるものであり、場合によってはガイド部を設けることなくコード引き回し案内部６に沿って複数の配線コード５を引き回し案内するようにしても良いものである。
【００３７】
【発明の効果】
以上詳述したように、本発明によれば、ケースの内部側から外部側へと引き出し案内された配線コードを保持する配線コードのクランプ構造において、前記ケースに前記配線コードを引き出し案内するためのコード導出部と、このコード導出部箇所から連続して前記ケースの壁面位置より窪んだ状態にて配線コードを引き回し配線可能とする樋状のコード引き回し案内部と、このコード引き回し案内部の開放部側の適所に設けられ、前記コード引き回し案内部の内壁から一体に略水平方向に延びる配線コードの浮き上がりを防ぐための浮き上がり抑止片と、からなる配線コードのクランプ構造であるため、樋状のコード引き回し案内部に沿って配線コードを引き回し配設することができ、ケースの壁面位置より上方に浮き上がることなく安定状態にして配線コードを保持することができるものであり、これにより初期の目的を達成することができるものである。
【図面の簡単な説明】
【図１】本発明の第１実施例である配線コードのクランプ構造を示す一部を切り欠き形成した全体斜視図である。
【図２】本発明の第１実施例である配線コードのクランプ構造を示す全体断面図である。
【図３】本発明の第１実施例である配線コードのクランプ構造の要部を示す断面図である。
【図４】本発明の第１実施例である配線コードのクランプ構造の要部を示す断面図である。
【図５】本発明の第２実施例である配線コードのクランプ構造の要部を示す断面図である。
【図６】本発明の第３実施例である配線コードのクランプ構造の要部を示す断面図である。
【図７】本発明の第４実施例である配線コードのクランプ構造の要部を示す断面図である。
【符号の説明】
１        プリント配線基板
２        ケース
２Ａ      外壁面
３        コネクタ
４        コード導出部
５        配線コード
６        コード引き回し案内部
６Ａ      内壁
６Ｂ      底壁部
７        浮き上がり抑止片
８        位置決め突部
９        ガイド部
【図１】
2005019924.tif 000003
【図２】
2005019924.tif 000004
【図３】
2005019924.tif 000005
【図４】
2005019924.tif 000006
【図５】
2005019924.tif 000007
【図６】
2005019924.tif 000008
【図７】
2005019924.tif 000009